(57)【要約】【目的】下腹部の締め付けやヒップアップを図り、体型の補整を行うとともに、着用した時の圧迫感がなく、また、小用の際に都合の良い男性用ガードルやボディスーツ等を提供する。【構成】前身布１、後身布２、外布３からなる男性用ガードルにおいて、前身布１、後身布２は、伸縮性に富むスパンデックス繊維やポリエステル系弾性繊維等が使用され、前身布１、後身布２の裏面には補整用伸縮帯１３、１４、１５ａ、１５ｂが逢着されている。男性が被着すると、下腹部の締め付けやヒップアップにより、体型が補整される。ところが、前身布１は男性外部生殖器にあたる部分に穴部４を設けているため、圧迫感を与えることがない。また、外布３の上方端は開口部５が開閉可能になっているので、小用時に便利である。【選択図】    図１
2004353149.tif 000002
【特許請求の範囲】
【請求項１】
男性外部生殖器を収める穴部４（４９）を設けた前身布１（４６）に、外布３（４８）を重ね合わせ、外布３（４８）の上方位置に小用の開口部５（５０）を設けたことを特徴とする男性用ガードル、ボディスーツ等。
【請求項２】
男性外部生殖器を収める穴部３０を設けた前身布２８に、外布３１、３２を重ね合わせ、外布３１、３２で小用の外開口部３３と内開口部３４を設けたことを特徴とする男性用ガードル、ボディスーツ等。
【請求項３】
男性外部生殖器を収める穴部３９を設けた前身布３７に、外布４０、４１を重ね合わせ、外布４０、４１の合わせ部にボタン２６で留める小用の開口部４２を設けたことを特徴とする男性用ガードル、ボディスーツ等。
【請求項４】
外布は、前身布よりパワーの弱い伸縮性生地としている請求項１乃至請求項３のいずれか１項に記載の男性用ガードル、ボディスーツ等。
【請求項５】
外布の男性外部生殖器に当たる部分は、膨出させている請求項１乃至請求項５のいずれか１項に記載の男性用ガードル、ボディスーツ等。
【発明の詳細な説明】
【０００１】
【発明の属する技術分野】
本発明は、男性用ガードル（ショート及びロングの両方を含む）やボディスーツ等の、特に腹部の弛みとヒップの弛み等の体型を整える機能を有し、着用時の圧迫感がなく小用の便の良いインナーウェアに関するのである。
【０００２】
【従来技術】
従来、腹部の弛みやヒップの弛み等の体型を補整するために着用するインナーウェアとしてガードルやボディスーツがある。ところが、これらのインナーウェアは自己の体型に気を使う女性用が殆どであり、男性用のものは余り実用化されていない。
男性用に関する従来技術としては、例えば下記特許文献１に記載のような、下着本体の前側腹部等の外面に伸びの少ない伸縮性布を重ねて逢着しているものがあり、また、下記特許文献２に記載のような、前身を通気性と不伸縮性の素材、股当片をメッシュ素材、後身を通気性と伸縮性の素材で形成されているものがある。
【０００３】
【特許文献１】
特開平９−１１１５０２号公報（第１図）
【特許文献２】
特開平１０−１３０９１０号公報（第１図）
【０００４】
【発明が解決しようとする課題】
上記従来の女性用ガードルやボディスーツは、被着者の腹部の弛みやヒップの弛み等を補整する機能を重視して製作されている。このため、男性が被着した場合、外部生殖器に圧迫感を与えることになる。また、小用についても不都合であった。
【０００５】
【課題を解決するための手段】
上記課題を解決するため、本発明は、請求項１で、男性外部生殖器を収める穴部４（４９）を設けた前身１（４６）に外布３（４８）を重ね合わせ、外布３（４８）の上方位置に小用の開口部５（５０）を設けるという手段を採用した。
【０００６】
また、本発明の請求項２は、男性外部生殖器を収める穴部３０を設けた前身布２８に、外布３１、３２を重ね合わせ、外布３１、３２で小用の外開口部３３と内開口部３４を設けるという手段を採用した。
【０００７】
また、本発明の請求項３は、男性外部生殖器を収める穴部３９を設けた前身布３７に、外布４０、４１を重ね合わせ、外布４０、４１の合わせ部にボタン２６で留める小用の開口部４２を設けるという手段を採用した。
【０００８】
また、本発明の請求項４は、請求項１乃至請求項３のいずれか１項において、外布に、前身布よりパワーの弱い伸縮性生地を使用するという手段を採用した。
【０００９】
また、本発明の請求項５は、請求項１乃至請求項５のいずれか１項において、外布の男性外部生殖器に当たる部分を膨出させるという手段を採用した。
【００１０】
【発明の実施の形態】
以下、本発明の実施の形態を図面に従って説明する。
図１乃至図５はガードルの実施例を示し、図６乃至図１０はボディスーツの実施例を示す。
図１、図２、図３のガードルで、１は前身布、２は後身布、３は外布、１１は股部布、２７は腹部補整布、１３、１４、１５ａ、１５ｂは補整用伸縮帯、１６は前身布１と腹部補整布２７との逢着部、１７、１８は前身布１と後身布２及び外布３との逢着部、１９は外布３と股部布１１との逢着部、２０は後身布２と股部布１１との逢着部、２１、２２は前身布１と外布３とを逢着した左右脚回り端縁、２３は後身布２の中央部に設けた周知の手段によるギャザー部で、後身布２の裏面に伸縮性テープ生地（図略）の逢着を介して設けたものである。
【００１１】
前身布１、後身布２は、通常のガードルにおいて用いられている伸縮性に富むスパンデックス繊維やポリエステル系弾性繊維等から構成される。前身布１、後身布２の裏面に逢着された補整用伸縮帯１３、１４、１５ａ、１５ｂは、スパンデックス等の通常の伸縮性を有する繊維が使用され、縦横両方向に自在に伸縮されるツーウェイ伸縮布を用いてもよく、或いは一方向が低伸縮性の伸縮布を用いてもよい。
図１に示すように、腹部補整布２７を設ける場合は、横方向が低伸縮性の伸縮布を用いるか、或いは伸縮性のない布を用いるのが望ましい。
外布３は、縦横両方向に自在に伸縮されるツーウェイ伸縮布か、或いは縦方向が低伸縮性の伸縮布を使用するが、いずれの場合も前身布１よりパワーの弱い伸縮性生地を用いる。また、外布３は、綿、絹、ポリエステル等の肌触りの良い生地を使用してもよい。
【００１２】
本発明の第１実施例は以上の構成からなり、男性が着用すると、被着者の腹部や下腹に贅肉があっても、前身布１、腹部補整布２７、補整用伸縮帯１３、１４によって腹部の出っ張りが抑え付けられて、体型が補整される。また、後身布２の下方部に設けられた補整用伸縮帯１５ａ、１５ｂによってヒップを上方向に持ち上げるように作用し、良好なヒップアップが図られる。ところが、前身布１は男性外部生殖器にあたる部部に穴部４を設けているため、圧迫感を与えることがない。また、外布３の上方端は開口部５が開閉可能になっているので、小用時に便利である。
【００１３】
図４は男性用ガードルの第２実施例で、図１と外布部の構造が異なる。３１、３２は外布で、外部開口３３と内部開口３４を設けている。３５は前身布２８と後身布２９及び外布３２との逢着部、３６は前身布２８と後身布２９及び外布３１との逢着部、２４は前身布２８と外布３１、３２との逢着部である。外部開口３３と内部開口３４とが設けられていることによって、小用時に便利である。
【００１４】
図５は、男性用ガードルの第３実施例を示し、４０、４１は外布で、開口部４２が設けられており、ボタン２６で開閉可能になっているので、小用時に便利である。
【００１５】
図６、図７、図８のボディスーツの一実施例で、４６は前身布、４７は後身布、４８は外布、５１は股部布、５２、５３、５４ａ、５４ｂは補整用伸縮帯、５５、５６は前身布４６と後身布４７及び外布４８との逢着部、５７は後身布４７と股部布５１との逢着部、５８、５９は前身布４６と外布４８とを逢着した左右脚回り端縁、６０は後身布４７の中央部に設けた周知の手段によるギャザー部で、後身布４７の裏面に伸縮性テープ生地（図略）の逢着を介して設けたものである。２５はホックで、前身布４６及び外布４８と股部布５１とが開閉できるようになっている。
【００１６】
前身布４６、後身布４７は、通常のボディスーツにおいて用いられる伸縮性に富むスパンデックス繊維やポリエステル系弾性繊維等から構成される。前身布４６、後身布４７の裏面に逢着された補整用伸縮帯５２、５３、５４ａ、５４ｂは、スパンデックス等の通常の伸縮性を有する繊維が使用され、縦横両方向に自在に伸縮されるツーウェイ伸縮布を用いてもよく、或いは一方向が低伸縮性の伸縮布を用いてもよい。外布４８は、縦横両方向に自在に伸縮されるツーウェイ伸縮布か、或いは縦方向が低伸縮性の伸縮布を使用するが、いずれの場合も前身布４６よりパワーの弱い伸縮性生地を用いる。また、外布４８は、綿、絹、ポリエステル等の肌触りの良い生地を使用してもよい。
【００１７】
ボディスーツの上半身部は、図９に示す袖無しと図１０に示す袖付きがある。また、上半身部の生地を下半身部と異なる素材にして、上半身部と下半身部とを胴部で逢着（図略）してもよい。
【００１８】
本発明のボディスーツの実施例は以上の構成からなり、男性が着用すると、被着者の腹部や下腹に贅肉があっても前身布４６及び補整用伸縮帯５２、５３によって腹部の出っ張りが抑えられて、体型が補整される。また、後身布４７の下方部に設けられた補整用伸縮帯５４ａ、５４ｂによってヒップを上方向に持ち上げるように作用し、良好なヒップアップが図られる。ところが、前身布４６は男性外部生殖器にあたる部分に穴部４９を設けているため、男性外部生殖器には圧迫感を与えることがない。また、外布４８の上端部は開口部５０が開閉可能になっているので、小用時に便利である。
【００１９】
【発明の効果】
本発明は、以上のように男性が被着した場合、被着者の腹部の弛みやヒップ部の弛み等が補整される上に、外部生殖器に圧迫感を与えず、また、小用についても便利である。
【図面の簡単な説明】
【図１】本発明の男性用ガードルの第１実施例の着用状態の正面側斜視図
【図２】図１の側面図
【図３】図１の背面側斜視図
【図４】本発明の男性用ガードルの第２実施例の着用状態の正面側斜視図
【図５】本発明の男性用ガードルの第３実施例の着用状態の正面側斜視図
【図６】本発明の男性用ボディスーツの一実施例の正面図
【図７】図６のＸ−Ｘ線における断面図
【図８】図６の背面斜視図
【図９】本発明の男性用ボディスーツの上半身部の第１実施例
【図１０】本発明の男性用ボディスーツの上半身部の第２実施例
【符号の説明】
１、２８、３７、４６    前身布
２、２９、３８、４７    後身布
３、３１、３２、４０、４１    外布
４、３０、３９、４９    穴部
５、４２、５０    開口部
３３    外部開口
３４    内部開口
１３、１４、１５ａ、１５ｂ、５２、５３、５４ａ、５４ｂ    補整用伸縮帯
１６、１７、１８、１９、２０、２４、３５、３６、４５、５５、５６、５７逢着部
２５    ホック
２６    ボタン
２７    腹部補整布
【図１】
2004353149.tif 000003
【図２】
2004353149.tif 000004
【図３】
2004353149.tif 000005
【図４】
2004353149.tif 000006
【図５】
2004353149.tif 000007
【図６】
2004353149.tif 000008
【図７】
2004353149.tif 000009
【図８】
2004353149.tif 000010
【図９】
2004353149.tif 000011
【図１０】
2004353149.tif 000012